(57)【特許請求の範囲】
【請求項１】
上面を開口した収納凹所を有する容器本体と、天板に貫設された貫通孔を囲んで周方向に沿って前記天板下面に垂設された複数個の係止片を有し前記容器本体の後端に蝶着された蓋体と、ケース本体の基盤に立設された口頚部の外周に螺子蓋が螺合されて構成され前記収納凹所に着脱自在に装着されたカートリッジケースと、を具備してなるコンパクト容器において；前記螺子蓋の上部は前記貫通孔を貫通しているとともに前記螺子蓋の下部は前記各係止片によって構成された挟着機構に係着可能な寸法に前記貫通孔よりも拡径されて形成されていることを特徴とするコンパクト容器。
【発明の詳細な説明】
【０００１】
【産業上の利用分野】
本発明は、流動性のある化粧料や揮発性化粧料を収納するのに好適な螺子蓋を用いた気密性に優れたコンパクト容器に関する。
【０００２】
【従来の技術】
気密性を必要とする化粧料をコンパクト容器内に気密に収納するには、自由に着脱できる螺子蓋を用いたねじ込み式の密閉手段が最も確実性が高く、かかる従来例として、実公昭６１ー１２８９５号公報の第二実施例として開示されものが知られている。
【０００３】
図７に示すように、この従来のコンパクト容器は、容器本体５１と蓋体５２と中板５３とが後部でヒンジ結合されたコンパクト容器であって、前記中板５３の上面中央部に立設された化粧料の収容部５４を形成する環状壁５５の外周面に雄螺子５６が設けられ、前記雄螺子５６に螺合する雌螺子（図示略）を内周面に設けた螺子蓋５７が前記環状壁５５に螺着されてなるもので、化粧料の気密密閉は螺子蓋５７のねじ込みでなされるものである。
【０００４】
【発明が解決しようとする課題】
ところで、前記従来のコンパクト容器にあっては、螺子蓋５７が自由に着脱できる操作性の良いねじ込み式であるので気密性は高く保たれるが、コンパクト容器の閉蓋時には螺子蓋５７全体が蓋体５２の中に収納される構成であるのでコンパクト容器が分厚くなり、デザインのうえで難点となっていた。
【０００５】
また、化粧の為に取り外した螺子蓋５７は、コンパクト容器の外に置かねばならず、誤って紛失したり落として螺子蓋５７を汚してしまうことがあり、化粧中には邪魔な存在となっていた。
【０００６】
更に、化粧料を使いきって新しい化粧皿に交換するときは、螺子蓋５７を取り外して交換作業を行うので、誤って化粧料に手が触れたりして取り扱いが難しかった。
【０００７】
本発明は、上記の問題に鑑みてなされたもので、螺子蓋を用いて気密性を確実にするとともに、薄形でデザイン的にもすぐれ、且つ取り扱い易いコンパクト容器にすることを目的としている。
【０００８】
【課題を解決するための手段】
本発明に係わるコンパクト容器は、上面を開口した収納凹所を有する容器本体と、天板に貫設された貫通孔を囲んで周方向に沿って前記天板下面に垂設された複数個の係止片を有し前記容器本体の後端に蝶着された蓋体と、ケース本体の基盤に立設された口頚部の外周に螺子蓋が螺合されて構成され前記収納凹所に着脱自在に装着されたカートリッジケースと、を具備してなるコンパクト容器において；前記螺子蓋の上部は前記貫通孔を貫通しているとともに前記螺子蓋の下部は前記各係止片によって構成された挟着機構に係着可能な寸法に前記貫通孔よりも拡径されて形成されていることを特徴としている。
【０００９】
【作用】
本発明に係わるコンパクト容器にあっては、閉蓋時において、カートリッジケースの螺子蓋の上部が蓋体の貫通孔に貫通して収納され、コンパクト容器が薄形になる。
【００１０】
また、螺子蓋を取り外し、螺子蓋下面を下に向けたまま、持ったその手で螺子蓋下部を蓋体内に垂設された係止片からなる挟着機構にはめ込んで係着させ、コンパクト容器内に一時保管する。
【００１１】
更に、化粧料を交換するときは、カートリッジケースは施蓋されて化粧料は密閉されたまま、カートリッジケースごと交換する。
【００１２】
【実施例】
以下、本発明の好適な一実施例を添付図面を参照しながら詳細に説明する。
【００１３】
図１乃至図６は、本発明に係わるコンパクト容器の一実施例を示すもので、上面を開口した収納凹所１ａを有する容器本体１と、この容器本体１の上面を覆い互いの後端部で蝶着された蓋体２と、ケース本体１の基盤４ａに立設された口頚部４ｂの外周に螺子蓋５が螺合されて構成され前記収納凹所１ａに着脱自在に装着されたカートリッジケース３と、からなり、これら主要部品はＳＡＮ、ＡＢＳ、ＰＰ、ＰＥなど汎用の合成樹脂材料を用いて形成されている。
【００１４】
図３に示すように容器本体１は、平板状の底板１ｂの周縁から周壁１ｃが立設されて収納凹所１ａが形成された扁平な楕円形の箱体からなり、前記周壁１ｃの前壁部外側には指かけ用の凹所１ｄが設けられ、前壁部内側にはフック１ｅが突設されているとともに、後壁部には蓋体２の蝶番脚２ａが組み込まれた蝶番凹所１ｆが設けられ軸着されて蝶番形成されている。
【００１５】
前記収納凹所１ａは、パフ（図示せず）などの化粧用具の収納部とカートリッジケース３の収納部とに区画され、カートリッジケース３の収納部の前後周壁にはカートリッジケース３を係止する突起又は窪みからなる係止機構１ｇが設けられている。
【００１６】
一方、蓋体２は、平板状の天板２ｂの周縁から周壁２ｃが垂設され前記容器本体１と相似した扁平な楕円形の箱体に形成されて容器本体１を覆合し、前記周壁２ｃの前壁部から容器本体１のフック１ｅに係合するフック２ｄが突設されているとともに、容器本体１の化粧用具の収納部が対応する天板２ｂの内面には化粧鏡が貼着され、カートリッジケース３の収納部が対応する天板２ｂには貫通孔２ｅが貫設されている。そして、この貫通孔２ｅを囲んで天板２ｂ下面には周方向に沿って複数個の係止片２ｆが所定間隔を置いて弾性的に垂設されている。
【００１７】
前記蓋体２の貫通孔２ｅは、カートリッジケース３の螺子蓋５の上部５ａの外径とほぼ同径の寸法に貫設され、螺子蓋５の上部５ａが嵌入されて螺子蓋５の天面５ｂが蓋体２の上面に露出しているもので、螺子蓋５を天板２ｂに貫通させることにより、カートリッジケース３をコンパクト容器内に収納しながら、コンパクト容器を薄形にするようになっている。
【００１８】
また、前記各係止片２ｆは、貫通孔２ｅの外径寸法より拡径された螺子蓋５下部５ｃを挟着できるように貫通孔２ｅ周辺に所定間隔を置いて配設されて挟着機構が構成され、取り外した螺子蓋５をその下面を下に向けたまま差し込んで挟着係止できるようにしたもので、コンパクト容器内に螺子蓋５を一時保管する為のものである。
【００１９】
次に、化粧料Ｋが充填されたカートリッジケース３のケース本体４は、容器本体１の係止機構１ｇに係合する係止機構４ｃを有する裾壁４ｄを周設した馬蹄形の基盤４ａ上面に口頚部４ｂが立設され、この口頚部４ｂの外周には所定間隔を置いてリードの短い雄螺子４ｅが突設されてなり、容器本体１の収納凹所１ａに着脱自在に装着されている。尚、図１中符号４ｆで示す化粧用具収納部側に開放された凹所は、ケース本体４を取り外す際の指かけ部である。
【００２０】
また、螺子蓋５は、上部５ａの下方に段部５ｅを介してフランジ状に拡径された下部５ｃからなる周壁が円形平板状の天板５ｄ周縁から垂設されて形成され、この周壁の内面には雄螺子４ｅと螺合して雌螺子５ｇが螺設されているとともに、天板５ｄの内面にはパッキン７が貼着され、ケース本体４の口頚部４ｂに螺着して化粧料Ｋを液密に密閉している。
【００２１】
以上のように構成された本実施例のコンパクト容器を使用するときは、図４に示す閉蓋状態にあるコンパクト容器の凹所１ｄに指を差し込み、蓋体２の天板２ｂに開口する貫通孔２ｅに露出したカートリッジケース３の螺子蓋５の天面５ｂを指で押しながら指を捻るように蓋体２を押し上げると、蓋体２は容易に開蓋する。従って、開蓋用の押し釦などを別個に用意装着する必要がなく、係止機構は極めて簡単になっている。
【００２２】
そして、螺子蓋５を螺開して取り外し（図５参照）、取り外した螺子蓋５は化粧の邪魔にならないように、図６に示すように、螺子蓋５下面を下に向けたまま、持ったその手で螺子蓋５の下部５Ｃを蓋体２の内面に垂設されいてる係止片２ｆによって構成された挟着機構にはめ込んで係着させ、コンパクト容器内に一時的に保管する。
【００２３】
従って、化粧中に取り外した螺子蓋５を誤って紛失したり、落として汚したりする心配がなく、化粧が終われば螺子蓋５を係止片２ｆから引き抜いて、持ったその手で口頚部４ｂに螺着し、通常のジャーを閉蓋する感覚で化粧料Ｋを気密に密閉することができる。
【００２４】
そして、化粧料を使用し切って新しいカートリッジケース３と交換するときは、施蓋したケース本体４の凹所４ｆに指をかけて上方に引き抜き、用意した新しい施蓋したままのカートリッジケース３を容器本体１の収納凹所１ａに押し込めば良い。
【００２５】
また、カートリッジケース３の交換作業は、新旧のカートリッジケース３とも施蓋されたまま行われるので、交換作業中に揮発性化粧料等を空気に曝したり、化粧料で手指を汚すこともなく、また、コンパクト容器を何度も繰り返し使用しても、カートリッジケース３全体を交換していまうので、カートリッジケース３に付着した古い化粧料による汚れが残ることがなく衛生的である。
【００２６】
【発明の効果】
本発明のコンパクト容器によれば、気密性の確実な螺子蓋を使用しながら蓋体の貫通孔に螺子蓋上部を貫通させて螺子蓋天面を露出するようにしたので、コンパクト容器を薄形の見映えの良いデザインにできる。
【００２７】
また、取り外した螺子蓋はコンパクト容器の蓋体に係着して一時保管ができるようにしたので、取り外した螺子蓋が邪魔になることなく化粧に集中できるとともに、誤って螺子蓋を紛失したり落として汚したりする心配がない。
【００２８】
更に、化粧料を交換するときは、化粧料は密閉されたままカートリッジケースごと交換するので、交換作業中に揮発性化粧料等を空気に曝したり、化粧料で手指を汚すこともなく、また、コンパクト容器を繰り返し使用しても、カートリッジケース３全体を交換してしまうので、カートリッジケースに付着した古い化粧料による汚れが残ることがなく衛生的である。
【００２９】
そして、鏡だけを使用する為にコンパクト容器を開いてもカートリッジケースは閉蓋されたままであり、鏡の使用中に化粧料は余分に空気に曝される事がないので、化粧料の品質劣化を遅延または防止できる。
【００３０】
また、開蓋用の押し釦を必要としない構成であるうえに、従来廃棄されてしまったリフィールケースをカートリッジケースとしてそのまま容器本体に装着して使用する構成としたので、容器本体に複雑な気密構造を形成する必要がなく、従って製造が簡単になって安価に提供できる。
【図面の簡単な説明】
【図１】本発明のコンパクト容器の実施例を示す断面図。
【図２】同実施例におけるカートリッジケースを収納した容器本体の平面図。
【図３】同実施例の一部を破断し開蓋状態を示す斜視図。
【図４】同実施例の斜視図。
【図５】同実施例の使用状態を示す斜視図。
【図６】同実施例の別の使用状態を示す斜視図。
【図７】従来の実施例の斜視図。
【符号の説明】
１  容器本体，１ａ  収納凹所，２  蓋体，２ｂ  天板，２ｅ  貫通孔，２ｆ係止片，３  カートリッジケース，４  ケース本体，４ａ  基盤，４ｂ  口頚部，５  螺子蓋，５ａ  上部，５ｃ  下部，
【図１】
0003705840.tif 000002
【図２】
0003705840.tif 000003
【図３】
0003705840.tif 000004
【図４】
0003705840.tif 000005
【図５】
0003705840.tif 000006
【図６】
0003705840.tif 000007
【図７】
0003705840.tif 000008